(57)【要約】      （修正有）【課題】飲料を衛生的に提供することができる飲料提供装置を提供する。【解決手段】飲料提供装置において、飲料が注がれる注入空間を規定する筐体と、注入空間へ有効成分（マイナスイオン、ラジカルやラジカルを内包する帯電微粒子水）を放出する放出装置とを備え、注入空間に放出装置からの有効成分を放出することにより、注入空間の菌類やカビ類の繁殖を抑制する効果を得ることができ、飲料を衛生的に提供することができる飲料提供装置を提供する。【選択図】図１
2015202901.tif 000002
【特許請求の範囲】
【請求項１】
飲料が注がれる注入空間を規定する筐体と、
前記注入空間へ有効成分を放出する放出装置と、を備えることを特徴とする飲料提供装置。
【請求項２】
前記筐体は、前記飲料が前記注入空間から取り出されるための取出口が形成された第１壁と、前記第１壁に対向する第２壁と、を含み、
前記注入空間は、前記第１壁と前記第２壁との間に形成され、
前記放出装置は、前記第２壁に形成された連通口を通じて、前記注入空間へ前記有効成分を放出することを特徴とする請求項１に記載の飲料提供装置。
【請求項３】
前記注入空間内で前記飲料を注ぐノズル部を含む飲料供給機構を更に備え、
前記放出装置は、前記ノズル部の上方に配置され、且つ、前記有効成分を下方へ放出することを特徴とする請求項１に記載の飲料提供装置。
【請求項４】
前記飲料が前記注入空間から取り出されたことを検出する検出部を更に備え、
前記放出装置は、前記注入空間からの前記飲料の取り出しに応じて、前記有効成分を放出することを特徴とする請求項１又は２に記載の飲料提供装置。
【請求項５】
前記飲料を受ける容器を前記注入空間内に配置する容器供給機構と、
前記注入空間内の前記容器に前記飲料を注ぐ飲料供給機構と、を更に備え、
前記検出部は、前記注入空間への前記容器の配置と、前記注入空間内の前記容器への前記飲料の注入と、を検出し、
前記検出部が、前記容器の前記配置を検出した第１時刻から前記容器への前記飲料の前記注入を検出した第２時刻までの期間の少なくとも一部において、前記放出装置は、前記有効成分を放出することを特徴とする請求項４に記載の飲料提供装置。
【請求項６】
前記放出装置を制御する制御部を更に備え、
前記検出部は、前記注入空間内の環境に関する環境情報を取得し、
前記制御部は、前記飲料が前記注入空間から取り出された後の前記有効成分の放出期間を前記環境情報に応じて設定することを特徴とする請求項４又は５に記載の飲料提供装置。
【請求項７】
前記有効成分は、菌類及びカビ類のうち少なくとも一方の繁殖を抑制することを特徴とする請求項１乃至６のいずれか１項に記載の飲料提供装置。
【請求項８】
前記放出装置は、前記有効成分を放電によって生成することを特徴とする請求項７に記載の飲料提供装置。
【発明の詳細な説明】
【技術分野】
【０００１】
本発明は、飲料を提供する飲料提供装置に関する。
【背景技術】
【０００２】
飲料を提供する飲料提供装置は、広く利用されている。飲料は、人体に取り込まれるので、飲料は、高い衛生レベルの下で提供される必要がある。
【０００３】
特許文献１は、飲料を貯留するタンクの内部で殺菌処理を行う殺菌装置を具備する飲料提供装置を提案する。殺菌装置は、タンク内の菌の繁殖を防止するので、衛生的な飲料が利用者に提供される。
【先行技術文献】
【特許文献】
【０００４】
【特許文献１】特開２０１３−１４２９号公報
【発明の概要】
【発明が解決しようとする課題】
【０００５】
飲料提供装置は、飲料を注入空間内で注ぐこともある。この場合、飲料が、注入空間内で飛散することもある。利用者が飲料を取り出すときに、利用者は、飲料を意図せず注入空間内に零すこともある。飲料に含まれる糖分といった様々な成分は、菌類やカビ類の繁殖を促す養分ともなり得る。タンク内において菌類やカビ類が存在しなくとも、注入空間内で菌類やカビ類が繁殖するならば、利用者は、飲料を衛生的に受け取ることはできない。
【０００６】
本発明は、飲料を衛生的に提供することができる飲料提供装置を提供することを目的とする。
【課題を解決するための手段】
【０００７】
本発明の一局面に係る飲料提供装置は、飲料が注がれる注入空間を規定する筐体と、前記注入空間へ有効成分を放出する放出装置と、を備える。
【０００８】
上記構成によれば、放出装置は、飲料が注がれる注入空間に有効成分を放出するので、飲料提供装置は、飲料を衛生的に提供することができる。
【０００９】
上記構成において、前記筐体は、前記飲料が前記注入空間から取り出されるための取出口が形成された第１壁と、前記第１壁に対向する第２壁と、を含んでもよい。前記注入空間は、前記第１壁と前記第２壁との間に形成されてもよい。前記放出装置は、前記第２壁に形成された連通口を通じて、前記注入空間へ前記有効成分を放出してもよい。
【００１０】
上記構成によれば、放出装置は、第１壁に対向する第２壁に形成された連通口を通じて、注入空間へ有効成分を放出するので、飲料提供装置を利用する利用者は、放出装置に接触しにくい。したがって、利用者は、飲料提供装置を安全に利用することができる。
【００１１】
上記構成において、飲料提供装置は、前記注入空間内で前記飲料を注ぐノズル部を含む飲料供給機構を更に備えてもよい。前記放出装置は、前記ノズル部の上方に配置され、且つ、前記有効成分を下方へ放出してもよい。
【００１２】
上記構成によれば、放出装置は、飲料を注ぐノズル部の上方に配置され、且つ、有効成分を下方へ放出するので、飲料提供装置は、注入空間内で溢れた飲料を有効成分に効率的に曝すことができる。したがって、飲料提供装置は、飲料を衛生的に提供することができる。
【００１３】
上記構成において、飲料提供装置は、前記飲料が前記注入空間から取り出されたことを検出する検出部を更に備えてもよい。前記放出装置は、前記注入空間からの前記飲料の取り出しに応じて、前記有効成分を放出してもよい。
【００１４】
上記構成によれば、放出装置は、注入空間からの飲料の取り出しに応じて、有効成分を放出するので、飲料が取り出された後の注入空間内の環境の衛生は高い水準に保たれることになる。
【００１５】
上記構成において、飲料提供装置は、前記飲料を受ける容器を前記注入空間内に配置する容器供給機構と、前記注入空間内の前記容器に前記飲料を注ぐ飲料供給機構と、を更に備えてもよい。前記検出部は、前記注入空間への前記容器の配置と、前記注入空間内の前記容器への前記飲料の注入と、を検出してもよい。前記検出部が、前記容器の前記配置を検出した第１時刻から前記容器への前記飲料の前記注入を検出した第２時刻までの期間の少なくとも一部において、前記放出装置は、前記有効成分を放出してもよい。
【００１６】
上記構成によれば、検出部が、容器の配置を検出した第１時刻から容器への飲料の注入を検出した第２時刻までの期間の少なくとも一部において、放出装置は、有効成分を放出するので、飲料は、衛生的な環境下で容器に注がれることになる。
【００１７】
上記構成において、飲料提供装置は、前記放出装置を制御する制御部を更に備えてもよい。前記検出部は、前記注入空間内の環境に関する環境情報を取得してもよい。前記制御部は、前記飲料が前記注入空間から取り出された後の前記有効成分の放出期間を前記環境情報に応じて設定してもよい。
【００１８】
上記構成によれば、制御部は、飲料が注入空間から取り出された後の有効成分の放出期間を環境情報に応じて設定するので、飲料が取り出された後の注入空間内の環境の衛生は高い水準に保たれることになる。
【００１９】
上記構成において、前記有効成分は、菌類及びカビ類のうち少なくとも一方の繁殖を抑制してもよい。
【００２０】
上記構成によれば、有効成分は、菌類及びカビ類のうち少なくとも一方の繁殖を抑制するので、飲料提供装置は、飲料を衛生的に提供することができる。
【００２１】
上記構成において、前記放出装置は、前記有効成分を放電によって生成してもよい。
【００２２】
上記構成によれば、放出装置は、有効成分を放電によって生成するので、菌類及びカビ類のうち少なくとも一方の繁殖は効果的に抑制される。
【発明の効果】
【００２３】
本発明に係る飲料提供装置は、飲料を衛生的に提供することができる。
【図面の簡単な説明】
【００２４】
【図１】第１実施形態の飲料提供装置の概念図である。
【図２】第２実施形態の飲料提供装置の概略図である。
【図３】第３実施形態の飲料提供装置の概略図である。
【図４】第４実施形態の飲料提供装置の概略的なブロック図である。
【図５】第５実施形態の飲料提供装置の概略的なブロック図である。
【図６】第６実施形態の飲料提供装置の概略的なブロック図である。
【図７】第７実施形態の飲料提供装置の概略的なブロック図である。
【図８】図７に示される飲料提供装置の動作の概略的なフローチャートである。
【発明を実施するための形態】
【００２５】
添付の図面を参照して、様々な飲料提供装置が以下に説明される。飲料提供装置は、以下の説明によって、明確に理解可能である。「上」、「下」、「左」や「右」といった方向を表す用語は、単に、説明の明瞭化を目的とする。したがって、これらの用語は、限定的に解釈されるべきものではない。
【００２６】
＜第１実施形態＞
マイナスイオン、ラジカルやラジカルを内包する帯電微粒子水（以下、「微粒子水」と称される）といった有効成分は、菌類やカビ類の繁殖を抑制する効果を有することが確認されている。これらの有効成分が、飲料が注入される注入空間に放出されるならば、飲料は衛生的に提供される。第１実施形態において、飲料を衛生的に提供することができる飲料提供装置が説明される。
【００２７】
図１は、第１実施形態の飲料提供装置１００の概念図である。図１を参照して、飲料提供装置１００が説明される。
【００２８】
飲料提供装置１００は、筐体２００と、放出装置３００と、を備える。筐体２００は、注入空間２１０を規定する。飲料は、注入空間２１０内で注がれる。放出装置３００は、菌類やカビ類の繁殖を効果的に抑制する有効成分を生成する。有効成分は、放出装置３００から注入空間２１０へ放出される。
【００２９】
有効成分は、菌類及びカビ類の少なくとも一方の繁殖を効果的に抑制する様々な物質であってもよい。例えば、有効成分は、マイナスイオン、ラジカルや微粒子水であってもよい。本実施形態の原理は、有効成分の特定の種類に限定されない。
【００３０】
放出装置３００は、放電下で有効成分を生成してもよい。マイナスイオン、ラジカルや微粒子水といった有効成分は、放電によって効率的に生成される。
【００３１】
＜第２実施形態＞
利用者は、飲料を取り出すために、注入空間に手を挿入する。放出装置が、利用者の手に接触しないように配置されるならば、利用者は、飲料提供装置を安全に利用することができる。第２実施形態において、安全な飲料提供装置が説明される。
【００３２】
図２は、第２実施形態の飲料提供装置１００Ａの概略図である。図２を参照して、飲料提供装置１００Ａが説明される。第１実施形態と同一の機能を有する要素に対して、同一の符号が付されている。第１実施形態に関連する説明は、同一の符号が付された要素に援用される。
【００３３】
飲料提供装置１００Ａは、筐体２００Ａと、放出装置３００Ａと、飲料供給機構４００と、を備える。筐体２００Ａは、前壁２２０と、内壁２３０と、底壁２４０と、を含む。筐体２００Ａ内の内壁２３０は、前壁２２０に対向する。注入空間２１０は、前壁２２０と内壁２３０との間に形成される。底壁２４０は、注入空間２１０内に配置された容器ＣＰを支持する。容器ＣＰは、注入空間２１０に自動的に配置されてもよい。代替的に、容器ＣＰは、利用者によって注入空間２１０に配置されてもよい。前壁２２０には、取出口２２１が形成される。利用者は、取出口２２１を通じて、容器ＣＰを注入空間２１０から取り出すことができる。本実施形態において、第１壁は、前壁２２０によって例示される。第２壁は、内壁２３０によって例示される。
【００３４】
飲料供給機構４００は、タンク４１０と、ノズル４２０と、を含む。タンク４１０は、飲料を貯留する。飲料は、タンク４１０からノズル４２０へ供給される。その後、飲料は、ノズル４２０から注入空間２１０内に配置された容器ＣＰへ注がれる。既知の様々な飲料供給技術が、飲料供給機構４００に適用されてもよい。本実施形態の原理は、飲料供給機構４００の特定の構造に限定されない。本実施形態において、ノズル部は、ノズル４２０によって例示される。
【００３５】
飲料供給機構４００が飲料を容器ＣＰへ注ぐと、容器ＣＰ内の液面からはじけた液滴が注入空間２１０内で飛び散ることがある。液滴は、前壁２２０、内壁２３０や底壁２４０に付着する。菌類やカビ類は、前壁２２０、内壁２３０や底壁２４０に付着した液滴を養分として利用して繁殖することがある。第１実施形態と同様に、放出装置３００Ａは、有効成分を注入空間２１０内に放出するので、菌類やカビ類は、繁殖しにくくなる。
【００３６】
筐体２００Ａは、固定箱２５０を含む。固定箱２５０は、内壁２３０と協働して、収容空間２５１を形成する。放出装置３００Ａは、収容空間２５１内で固定される。
【００３７】
内壁２３０には、収容空間２５１と注入空間２１０とを連通させる連通口２３１が形成される。放出装置３００Ａは、連通口２３１を通じて、有効成分を注入空間２１０へ放出する。
【００３８】
放出装置３００Ａは、第１電極３１０と、第２電極３２０と、ペルチエモジュール３３０と、を備える。第２電極３２０は、内壁２３０の隣に配置される。第２電極３２０は、連通口２３１に連なる開口部３２１を規定する。第１電極３１０は、開口部３２１に向けて尖った先端部３１１を含む。高い電位差が第１電極３１０と第２電極３２０との間に生成されると、電界が先端部３１１に集中する。この結果、放電は、第１電極３１０と第２電極３２０との間で発生する。放電の結果生じた有効成分は、イオン風に乗って、開口部３２１及び連通口２３１を通じて、注入空間２１０へ供給される。
【００３９】
ペルチエモジュール３３０は、第１電極３１０を冷却する。この結果、第１電極３１０は結露する。したがって、第１電極３１０の表面には水が付着する。上述の如く、第１電極３１０と第２電極３２０との間で放電が発生するので、有効成分として、帯電した微粒子水が生成される。微粒子水は、注入空間２１０へ放出されるので、注入空間２１０内の菌類やカビ類の繁殖は効率的に抑制される。
【００４０】
既知の静電霧化装置の技術が、放出装置３００Ａに適用されてもよい。したがって、本実施形態の原理は、放出装置３００Ａの特定の構造に限定されない。
【００４１】
放出装置３００Ａは、内壁２３０の近くで固定される。したがって、利用者が、容器ＣＰを注入空間２１０から取り出すとき、利用者は、放出装置３００Ａに接触しにくい。この結果、利用者は、飲料提供装置１００Ａを安全に利用することができる。
【００４２】
＜第３実施形態＞
容器から溢れた飲料の多くは、容器を支持する底壁に付着する。有効成分が底壁に向けて放出されるならば、注入空間内での菌類やカビ類は効果的に抑制される。第３実施形態において、菌類やカビ類を効果的に抑制する飲料提供装置が説明される。
【００４３】
図３は、第３実施形態の飲料提供装置１００Ｂの概略図である。図３を参照して、飲料提供装置１００Ｂが説明される。第２実施形態と同一の機能を有する要素に対して、同一の符号が付されている。第２実施形態に関連する説明は、同一の符号が付された要素に援用される。
【００４４】
第２実施形態と同様に、飲料提供装置１００Ｂは、飲料供給機構４００を備える。飲料提供装置１００Ｂは、筐体２００Ｂと、放出装置３００Ｂと、を更に含む。
【００４５】
第２実施形態と同様に、筐体２００Ｂは、前壁２２０と、底壁２４０と、を含む。筐体２００Ｂは、内壁２３０Ｂと、天壁２６０と、を更に含む。内壁２３０Ｂは、前壁２２０に対向する。天壁２６０は、底壁２４０に対向する。注入空間２１０は、前壁２２０、内壁２３０Ｂ、底壁２４０及び天壁２６０によって取り囲まれる。
【００４６】
ノズル４２０上で横たわる天壁２６０には、連通口２６１が形成される。放出装置３００Ｂは、連通口２６１を通じて、有効成分を注入空間２１０へ放出する。
【００４７】
第２実施形態と同様に、放出装置３００Ｂは、第１電極３１０と、ペルチエモジュール３３０と、を備える。放出装置３００Ｂは、第２電極３２０Ｂを更に備える。第２電極３２０Ｂは、天壁２６０上で固定される。第２電極３２０Ｂは、連通口２６１に連なる開口部３２１Ｂを規定する。
【００４８】
第２実施形態と同様に、放電は、第１電極３１０と第２電極３２０Ｂとの間で発生する。放電の結果生じた微粒子水は、イオン風に乗って、開口部３２１Ｂ及び連通口２６１を通じて、注入空間２１０へ供給される。微粒子水は、下方へ放出されるので、微粒子水の多くは、底壁２４０に到達する。したがって、菌類やカビ類の繁殖は、効果的に抑制される。
【００４９】
＜第４実施形態＞
飲料提供装置は、様々なタイミングで有効成分を放出し、注入空間の衛生を高い水準に保ってもよい。例えば、有効成分が、飲料の注入の後に放出されるならば、注入空間内での菌類やカビ類の繁殖は効果的に抑制される。第４実施形態において、飲料の注入後に有効成分を放出する飲料提供装置が説明される。
【００５０】
図４は、第４実施形態の飲料提供装置１００Ｃの概略的なブロック図である。図４を参照して、飲料提供装置１００Ｃが説明される。第１実施形態又は第２実施形態と同一の機能を有する要素に対して、同一の符号が付されている。第１実施形態及び第２実施形態に関連する説明は、同一の符号が付された要素に援用される。
【００５１】
第１実施形態と同様に、飲料提供装置１００Ｃは、筐体２００と、放出装置３００と、を備える。第２実施形態と同様に、飲料提供装置１００Ｃは、飲料供給機構４００を備える。
【００５２】
飲料提供装置１００Ｃは、容器検出部５１０と、制御部６００と、を更に備える。容器検出部５１０は、注入空間２１０内の容器の存在及び／又は不存在を検出する。容器検出部５１０は、注入空間２１０内の容器の存在及び／又は不存在を光学的に検出してもよい。この場合、透過型センサや反射型センサが、容器検出部５１０として利用可能である。容器検出部５１０は、注入空間２１０を規定する底壁に加わる重量を検出する重量センサであってもよい。飲料が容器に注がれるならば、重量センサは、大きな重量を検出する。その後、容器が取り出されるならば、重量センサは、小さな重量を検出する。注入空間２１０内の容器の存在及び不存在を検出することができる様々なセンサ素子が、容器検出部５１０として利用可能である。したがって、本実施形態の原理は、容器検出部５１０の特定の検出技術に限定されない。
【００５３】
容器検出部５１０は、容器の存在を表す存在信号ＰＳと、容器の不存在を表す不存在信号ＡＳと、を選択的に生成する。存在信号ＰＳ及び不存在信号ＡＳは、容器検出部５１０から制御部６００へ出力される。存在信号ＰＳから不存在信号ＡＳへの信号の切替は、注入空間２１０からの容器の取り出しを意味する。本実施形態において、検出部は、容器検出部５１０によって例示される。
【００５４】
制御部６００は、駆動信号生成部６１０と、計時部６２０と、を含む。駆動信号生成部６１０は、存在信号ＰＳ及び不存在信号ＡＳを選択的に受け取る。駆動信号生成部６１０は、存在信号ＰＳから不存在信号ＡＳへの信号の切替に応じて、駆動信号を生成する。駆動信号は、駆動信号生成部６１０から放出装置３００へ出力される。放出装置３００は、駆動信号に応じて、注入空間２１０へ有効成分を放出する。
【００５５】
駆動信号生成部６１０は、駆動信号の生成と同期して、起動信号を生成する。起動信号は、駆動信号生成部６１０から計時部６２０へ出力される。計時部６２０は、起動信号に応じて、計時を開始する。計時の開始から所定の期間が経過すると、計時部６２０は、停止信号を生成する。停止信号は、計時部６２０から駆動信号生成部６１０へ出力される。駆動信号生成部６１０は、停止信号に応じて、駆動信号の生成を停止する。この結果、放出装置３００からの有効成分の放出も停止される。
【００５６】
計時部６２０の計時期間は、注入空間２１０内の菌類やカビ類を消滅させるのに十分に長く設定されてもよい。注入空間２１０内の菌類やカビ類は、有効成分の放出によって大幅に少なくなるので、注入空間２１０内の衛生は、高い水準で維持される。
【００５７】
＜第５実施形態＞
有効成分の放出期間は、注入空間の環境に応じて調整されてもよい。注入空間の環境が、菌類やカビ類の繁殖に適しているならば、長い放出期間が設定されてもよい。他の場合には、短い放出期間が設定されてもよい。第５実施形態において、注入空間の環境に応じて放出期間の長さを調整する飲料提供装置が説明される。
【００５８】
図５は、第５実施形態の飲料提供装置１００Ｄの概略的なブロック図である。図５を参照して、飲料提供装置１００Ｄが説明される。第４実施形態と同一の機能を有する要素に対して、同一の符号が付されている。第４実施形態に関連する説明は、同一の符号が付された要素に援用される。
【００５９】
第４実施形態と同様に、飲料提供装置１００Ｄは、筐体２００と、放出装置３００と、飲料供給機構４００と、を備える。飲料提供装置１００Ｄは、検出部５００と、制御部６００Ｄと、を更に備える。検出部５００は、注入空間２１０内の容器や環境を検出する。制御部６００Ｄは、検出部５００の検出結果に応じて、放出装置３００を制御する。
【００６０】
検出部５００は、容器検出部５１０Ｄと、温度検出部５２０と、湿度検出部５３０と、を含む。第４実施形態と同様に、容器検出部５１０Ｄは、注入空間２１０内の容器の存在及び不存在を検出し、存在信号ＰＳと不存在信号ＡＳとを選択的に生成する。存在信号ＰＳ及び不存在信号ＡＳは、容器検出部５１０Ｄから制御部６００Ｄへ出力される。
【００６１】
温度検出部５２０は、注入空間２１０内の温度を検出する。温度検出部５２０は注入空間２１０内の温度を表す温度信号ＴＳを生成する。温度信号ＴＳは、温度検出部５２０から制御部６００Ｄへ出力される。湿度検出部５３０は、注入空間２１０内の湿度を検出する。湿度検出部５３０は注入空間２１０内の湿度を表す湿度信号ＨＳを生成する。湿度信号ＨＳは、湿度検出部５３０から制御部６００Ｄへ出力される。温度検出部５２０は、注入空間２１０内に配置された温度センサであってもよい。湿度検出部５３０は、注入空間２１０内に配置された湿度センサであってもよい。本実施形態において、環境情報は、温度信号ＴＳ及び／又は湿度信号ＨＳによって表される情報によって例示される。
【００６２】
制御部６００Ｄは、駆動信号生成部６１０Ｄと、設定部６３０と、を含む。設定部６３０は、存在信号ＰＳ、不存在信号ＡＳ、温度信号ＴＳ及び湿度信号ＨＳを受ける。設定部６３０は、存在信号ＰＳから不存在信号ＡＳへの信号の切替に応じて、駆動信号生成部６１０Ｄに駆動信号を生成させる。駆動信号は、駆動信号生成部６１０Ｄから放出装置３００へ出力される。放出装置３００は、駆動信号に応じて、有効成分を注入空間２１０へ放出する。
【００６３】
設定部６３０は、温度信号ＴＳ及び湿度信号ＨＳに基づいて、有効成分が放出される放出期間の終了時刻を設定する。温度信号ＴＳが、１０°以上４０°以下の温度を表し、且つ、湿度信号ＨＳが、８０％以上の湿度を表すならば、設定部６３０は、長い放出期間を設定してもよい。他の場合には、設定部６３０は、短い放出期間を設定してもよい。
【００６４】
＜第６実施形態＞
有効成分の放出期間は、飲料の注入の直前に設定されてもよい。この場合、飲料は、衛生的な環境の中で容器に注がれることになる。第６実施形態において、衛生的な環境の中で飲料を容器に注ぐ飲料提供装置が説明される。
【００６５】
図６は、第６実施形態の飲料提供装置１００Ｅの概略的なブロック図である。図６を参照して、飲料提供装置１００Ｅが説明される。第５実施形態と同一の機能を有する要素に対して、同一の符号が付されている。第５実施形態に関連する説明は、同一の符号が付された要素に援用される。
【００６６】
第５実施形態と同様に、飲料提供装置１００Ｅは、筐体２００と、放出装置３００と、飲料供給機構４００と、を備える。飲料提供装置１００Ｅは、検出部５００Ｅと、制御部６００Ｅと、容器供給機構７００と、を更に備える。容器供給機構７００は、容器を、注入空間２１０に配置する。検出部５００Ｅは、注入空間２１０内の容器や環境を検出する。制御部６００Ｅは、検出部５００Ｅの検出結果に応じて、放出装置３００を制御する。様々な既知の飲料供給装置が有する機構は、容器供給機構７００に適用されてもよい。本実施形態の原理は、容器供給機構７００の特定の構造に限定されない。
【００６７】
第５実施形態と同様に、検出部５００Ｅは、温度検出部５２０と、湿度検出部５３０と、を含む。検出部５００Ｅは、容器検出部５１０Ｅを更に含む。容器検出部５１０Ｅは、配置検出部５１１と、注入検出部５１２と、を含む。配置検出部５１１は、容器が、注入空間２１０に配置されたか否かを検出する。配置検出部５１１は、容器が、注入空間２１０に配置されたか否かを表す第１信号ＦＳを生成する。配置検出部５１１は、容器を検出する光センサであってもよい。注入検出部５１２は、容器への飲料の注入を検出する。注入検出部５１２は、容器への飲料の注入状況を表す第２信号ＳＳを生成する。注入検出部５１２は、注入空間２１０を規定する底壁に加わる重量を検出する重量センサであってもよい。
【００６８】
制御部６００Ｅは、駆動信号生成部６１０Ｅと、設定部６３０Ｅと、を含む。第１信号ＦＳ及び第２信号ＳＳは、容器検出部５１０Ｅから設定部６３０Ｅへ出力される。設定部６３０Ｅは、容器が注入空間２１０に配置されたことを表す第１信号ＦＳに応じて、駆動信号生成部６１０Ｅに駆動信号を生成させる。設定部６３０Ｅは、容器への飲料の注入が開始されたことを表す第２信号ＳＳに応じて、駆動信号生成部６１０Ｅに駆動信号の生成を停止させる。本実施形態において、第１時刻は、容器が注入空間２１０に配置されたことを表す第１信号ＦＳの受信時刻によって例示される。第２時刻は、容器への飲料の注入が開始されたことを表す第２信号ＳＳの受信時刻によって例示される。
【００６９】
本実施形態において、有効成分は、第１時刻から第２時刻までの期間に亘って注入空間２１０へ放出される。代替的に、有効成分は、第１時刻から第２時刻までの期間の一部において放出されてもよい。
【００７０】
第１信号ＦＳが、その後、容器が注入空間２１０に存在しないことを表すと、設定部６３０Ｅは、駆動信号生成部６１０Ｅに駆動信号を再度生成させる。温度検出部５２０は、注入空間２１０内の温度を検出する。温度検出部５２０は注入空間２１０内の温度を表す温度信号ＴＳを生成する。温度信号ＴＳは、温度検出部５２０から設定部６３０Ｅへ出力される。湿度検出部５３０は、注入空間２１０内の湿度を検出する。湿度検出部５３０は注入空間２１０内の湿度を表す湿度信号ＨＳを生成する。湿度信号ＨＳは、湿度検出部５３０から設定部６３０Ｅへ出力される。
【００７１】
設定部６３０Ｅは、温度信号ＴＳ及び湿度信号ＨＳに基づいて、有効成分が放出される放出期間の終了時刻を設定する。温度信号ＴＳが、１０°以上４０°以下の温度を表し、且つ、湿度信号ＨＳが、８０％以上の湿度を表すならば、設定部６３０Ｅは、長い放出期間を設定してもよい。他の場合には、設定部６３０Ｅは、短い放出期間を設定してもよい。
【００７２】
＜第７実施形態＞
第６実施形態に関連して説明された有効成分の放出動作は、飲料提供装置を利用する利用者の動作（例えば、商品選択や硬貨の投入）に関連づけられてもよい。第７実施形態において、利用者の商品選択動作に連動して有効成分を放出する飲料提供装置が説明される。
【００７３】
図７は、第７実施形態の飲料提供装置１００Ｆの概略的なブロック図である。図７を参照して、飲料提供装置１００Ｆが説明される。第２実施形態と同一の機能を有する要素に対して、同一の符号が付されている。第２実施形態に関連する説明は、同一の符号が付された要素に援用される。
【００７４】
飲料提供装置１００Ｆは、主回路６４０と、制御回路６００Ｆと、第１回路６０１と、第２回路６０２と、放出装置３００Ａと、を備える。主回路６４０は、飲料提供装置１００Ｆの全体的な動作に対する制御を司る。例えば、利用者が、飲料商品を選択すると、主回路６４０は、容器を、容器供給機構に注入空間に配置させる。その後、主回路６４０は、制御回路６００Ｆに放出装置３００Ａからの微粒子水の放出を指示する。
【００７５】
第１回路６０１は、第１電極３１０と第２電極３２０との間に放電を生じさせるのに十分に高い電圧を印加するために用いられる。第２回路６０２は、ペルチエモジュール３３０を動作させるために用いられる。微粒子水の放出の指示を受けた制御回路６００Ｆは、第２回路６０２を作動させ、第１電極３１０に結露を生じさせる。その後、制御回路６００Ｆは、第１回路６０１を作動させ、第１電極３１０と第２電極３２０との間で放電を生じさせる。この結果、微粒子水は、注入空間へ放出される。
【００７６】
主回路６４０は、微粒子水が放出されている間に、飲料供給機構に飲料を供給するための準備をさせる。飲料供給の準備が完了すると、主回路６４０は、制御回路６００Ｆに微粒子水の放出の停止を指示する。この結果、制御回路６００Ｆは、第１回路６０１及び第２回路６０２を停止させる。
【００７７】
飲料供給機構は、その後、飲料を容器に供給する。利用者が、容器を注入空間から取り出すと、制御回路６００Ｆは、第１回路６０１及び第２回路６０２を再度作動させる。この結果、微粒子水の放出が再開される。
【００７８】
制御回路６００Ｆは、温度センサ及び湿度センサからの信号に応じて、微粒子水の放出を停止させるタイミングを決定する。第１回路６０１及び第２回路６０２は、決定されたタイミングで停止する。
【００７９】
図８は、飲料提供装置１００Ｆの動作の概略的なフローチャートである。図７及び図８を参照して、飲料提供装置１００Ｆの動作が説明される。
【００８０】
（ステップＳ１０５）
ステップＳ１０５において、主回路６４０は、容器供給機構に容器を配置させる。その後、ステップＳ１１０が実行される。
【００８１】
（ステップＳ１１０）
ステップＳ１１０において、放出装置３００Ａは、有効成分を放出する。その後、ステップＳ１１５が実行される。
【００８２】
（ステップＳ１１５）
ステップＳ１１５において、放出装置３００Ａは、有効成分の放出を停止する。その後、ステップＳ１２０が実行される。
【００８３】
（ステップＳ１２０）
ステップＳ１２０において、主回路６４０は、飲料供給機構に飲料を容器へ注入させる。その後、ステップＳ１２５が実行される。
【００８４】
（ステップＳ１２５）
ステップＳ１２５において、利用者は、容器を注入空間から取り出す。その後、ステップＳ１３０が実行される。
【００８５】
（ステップＳ１３０）
ステップＳ１３０において、制御回路６００Ｆは、温度センサ及び湿度センサからの信号に基づいて、有効成分の放出期間を設定する。その後、ステップＳ１３５が実行される。
【００８６】
（ステップＳ１３５）
ステップＳ１３５において、放出装置３００Ａは、有効成分の放出を再開する。その後、ステップＳ１４０が実行される。
【００８７】
（ステップＳ１４０）
ステップＳ１４０において、放出装置３００Ａは、決定された放出期間の終了時刻に有効成分の放出を停止する。
【００８８】
上述の様々な実施形態の原理は、互いに組み合わされてもよい。
【産業上の利用可能性】
【００８９】
上述の様々な実施形態の原理は、飲料を利用者に提供する様々な装置に好適に利用される。
【符号の説明】
【００９０】
１００〜１００Ｆ・・・・・・・・・・・・・・・・・・・・飲料提供装置
２００〜２００Ｂ・・・・・・・・・・・・・・・・・・・・筐体
２１０・・・・・・・・・・・・・・・・・・・・・・・・・注入空間
２２０・・・・・・・・・・・・・・・・・・・・・・・・・前壁
２２１・・・・・・・・・・・・・・・・・・・・・・・・・取出口
２３０，２３０Ｂ・・・・・・・・・・・・・・・・・・・・内壁
２３１・・・・・・・・・・・・・・・・・・・・・・・・・連通口
２６１・・・・・・・・・・・・・・・・・・・・・・・・・連通口
３００〜３００Ｂ・・・・・・・・・・・・・・・・・・・・放出装置
４００・・・・・・・・・・・・・・・・・・・・・・・・・飲料供給機構
４２０・・・・・・・・・・・・・・・・・・・・・・・・・ノズル
５００，５００Ｅ・・・・・・・・・・・・・・・・・・・・検出部
５１０，５１０Ｄ，５１０Ｅ・・・・・・・・・・・・・・・容器検出部
６００，６００Ｄ，６００Ｅ・・・・・・・・・・・・・・・制御部
７００・・・・・・・・・・・・・・・・・・・・・・・・・容器供給機構
ＣＰ・・・・・・・・・・・・・・・・・・・・・・・・・・容器
【図１】
2015202901.tif 000003
【図２】
2015202901.tif 000004
【図３】
2015202901.tif 000005
【図４】
2015202901.tif 000006
【図５】
2015202901.tif 000007
【図６】
2015202901.tif 000008
【図７】
2015202901.tif 000009
【図８】
2015202901.tif 000010